(57)【特許請求の範囲】
【請求項１】
１対の対向部とこれらの対向部を繋ぐ繋ぎ部とを有して断面形状が略コの字型に形成され、前記対向部同士が接離する方向に撓む可撓性を有する表示体押えカバーと；
前記対向部により挟み付けられて前記表示体押えカバーが弾性的に取付けられるカバー取付部を備えた操作体本体と；
前記表示体押えカバーの前記繋ぎ部における前記カバー取付部に対向する側の面に形成された枠状突起に囲まれた嵌め込み凹部によって形成されている第１の表示体保持部と；
前記操作体本体の前記カバー取付部に形成された位置決め溝によって形成されている第２の表示体保持部と；
を具備し、前記枠状突起と前記位置決め溝とは、前記表示体押えカバーを前記カバー取付部に取付けたときに前記枠状突起が前記位置決め溝に入り込むサイズ及び位置に形成され、かつ、前記枠状突起の先端面部が前記位置決め溝の底面に略当接する寸法に形成されている、操作体。
【請求項２】
押圧操作に伴い配線回路をオン・オフするスイッチ本体と；
前記スイッチ本体が装着される取付ユニットと；
前記スイッチ本体に着脱自在に取付けられてこのスイッチ本体を押圧操作する請求項１記載の操作体と；
を具備する配線器具。
【発明の詳細な説明】
【０００１】
【発明の属する技術分野】
本発明は、電源スイッチや各種スイッチなどの操作箇所に、その操作が何のために行う操作であるかを知らしめるために配置された操作体及びその操作体を用いた配線器具に関する。
【０００２】
【従来の技術】
従来、電源スイッチや各種スイッチなどの操作箇所には、その操作が何のために行う操作であるかを知らしめるための操作体が用いられており、そのような操作体の一例を図７に基づいて説明する。この操作体１００は、電源スイッチの箇所で用いられるものであり、操作体本体１０１、表示体１０２、化粧シート１０３、透明フード１０４等により構成されている。
【０００３】
操作体本体１０１はスイッチ操作に伴って可動する部分であり、その表面部分には、表面凹部１０５と、表面凹部１０５内に位置して表面凹部１０５より一段と深くなった配置凹部１０６とが形成されている。
【０００４】
表示体１０２は、この操作体によりオン・オフされる照明の箇所を知らしめる部材であり、例えば、「居間」「廊下」「ＴＯＩＬＥＴ」「洗面所」などの文字が表示されている。また、この表示体１０２は、配置凹部１０６内に嵌め込み可能な外形寸法に形成されている。
【０００５】
化粧シート１０３は表面凹部１０５に嵌め込み可能な外形寸法に形成され、その一部であって表面凹部１０５に嵌め込んだときに配置凹部１０６に対向する位置には、透明な又は開口された窓１０３ａが形成されている。
【０００６】
透明フード１０４は、透明な樹脂材により形成された板状の部材で、配置凹部１０６内に嵌め込み可能な外形寸法に形成されている。さらに、透明フード１０４の４辺の周縁部のうちの対向する２辺には微小突起（図示せず）が形成され、これらの微小突起が係合する係合部（図示せず）が表面凹部１０５の縁部に形成されている。
【０００７】
ここで、操作体１００における表示体１０２の取付けは、配置凹部１０６内に表示体１０２を嵌め込み、その上から化粧シート１０３を表面凹部１０５に嵌め込み、さらに、その上から透明フード１０４を表面凹部１０５に嵌め込んで行っている。配置凹部１０６に嵌め込まれている表示体１０２は、化粧シート１０３の窓１０３ａと透明フード１０４とを通して見えることになる。透明フード１０４は、その周縁部に形成された微小突起を表面凹部１０５の縁部に形成された係合部に係合させることにより、表面凹部１０５からの脱落を阻止されている。
【０００８】
【発明が解決しようとする課題】
図７に示した操作体１００において、表示体１０２を取り替える場合には、まず、透明フード１０４を表面凹部１０５から取外さなければならないが、この透明フード１０４はその周縁部に形成された微小突起を表面凹部１０５の縁部に形成された係合部に係合されているため、その取外し作業は困難性を有し、ドライバー等の工具を必要とする。
【０００９】
このため、その取外し作業時に透明フード１０４を傷付けてしまう場合や、微小突起を破損させてしまう場合がある。透明フード１０４を傷付けた場合には、美観が著しく損なわれることから交換の必要性が高くなる。また、微小突起を破損した場合には、透明フード１０４が表面凹部１０５から脱落しやすくなるために交換の必要性が生じる。
【００１０】
本発明の目的は、操作体本体への表示体押えカバーの取付状態を安定させることができるとともに操作体本体からの表示体押えカバーの取外しが容易であり、表示体の交換を容易に行うことができる操作体及び配線器具を得ることである。
【００１１】
本発明の目的は、様々なタイプの表示体を使用することができる操作体及び配線器具を得ることである。
【００１２】
【課題を解決するための手段】
請求項１記載の発明の操作体は、１対の対向部とこれらの対向部を繋ぐ繋ぎ部とを有して断面形状が略コの字型に形成され、前記対向部同士が接離する方向に撓む可撓性を有する表示体押えカバーと；前記対向部により挟み付けられて前記表示体押えカバーが弾性的に取付けられるカバー取付部を備えた操作体本体と；前記表示体押えカバーの前記繋ぎ部における前記カバー取付部に対向する側の面に形成された枠状突起に囲まれた嵌め込み凹部によって形成されている第１の表示体保持部と；前記操作体本体の前記カバー取付部に形成された位置決め溝によって形成されている第２の表示体保持部と；を具備し、前記枠状突起と前記位置決め溝とは、前記表示体押えカバーを前記カバー取付部に取付けたときに前記枠状突起が前記位置決め溝に入り込むサイズ及び位置に形成され、かつ、前記枠状突起の先端面部が前記位置決め溝の底面に略当接する寸法に形成されている。
【００１３】
したがって、表示体押えカバーは１対の対向部でカバー取付部を挟み付けることによりカバー取付部に弾性的に取付けられているため、安定した取付状態を維持することができる。しかも、カバー取付部からの表示体押えカバーの取外しを、表示体押えカバーをカバー取付部から取外す向きに撓ませることにより工具を用いることなく行えるので、表示体押えカバーをカバー取付部から取外して行う表示体保持部（第１の表示体保持部又は第２の表示体保持部）に保持されている表示体の交換作業を簡単に行え、その交換作業に伴う表示体押えカバーの傷付きや破損が防止される。
【００１４】
なお、表示体押えカバーのカバー取付部への取付けは、１対の対向部でカバー取付部を挟み付けることにより表示体押えカバーの弾性のみを利用して行ってもよい。さらに、１対の対向部のそれぞれ対向する面に凸部又は凹部を形成し、カバー取付部にそれらの凸部又は凹部に係合する凹部又は凸部を形成し、それらの凸部と凹部とを係合させるようにしてもよい。
【００１５】
第１の表示体保持部は、前記表示体押えカバーの前記繋ぎ部における前記カバー取付部に対向する側の面に形成されて前記表示体を嵌め込み可能な嵌め込み凹部である。
【００１６】
したがって、表示体を表示体押えカバーの嵌め込み凹部に嵌め込み、その表示体押えカバーをカバー取付部に取付けることにより、表示体を位置ずれさせることなく確実に保持することができる。表示体として嵌め込み凹部に嵌め込み可能なサイズに形成された所定規格の表示体を用いる場合に有効である。
【００１７】
第２の表示体保持部は、前記操作体本体の前記カバー取付部に形成されて前記表示体を位置決めする位置決め溝である。
【００１８】
したがって、表示体として、裏面が粘着面となっている粘着テープ式の表示体やその他の表示体を使用する場合において、それらの表示体を位置決め溝に貼り付け又は配置することにより、操作体に取付けられる表示体の位置決めを精度よく行える。
【００１９】
前述したように、前記枠状突起と前記位置決め溝とは、前記表示体押えカバーを前記カバー取付部に取付けたときに前記枠状突起が前記位置決め溝に入り込むサイズ及び位置に形成され、かつ、前記枠状突起の先端面部が前記位置決め溝の底面に略当接する寸法に形成されている。
【００２０】
したがって、裏面が粘着面となっている粘着テープ式の表示体、又は、他の表示体を位置決め溝内に貼り付け又は配置した場合において、操作体本体のカバー取付部に表示体押えカバーを取付けると、枠状突起が位置決め溝内に貼り付けられ又は配置されている表示体の周縁部を押圧することになり、表示体の縁部がめくれ上がったり撓んだりすることなく、安定した取付状態を確保することができる。
【００２１】
請求項２記載の発明の配線器具は、押圧操作に伴い配線回路をオン・オフするスイッチ本体と；前記スイッチ本体が装着される取付ユニットと；前記スイッチ本体に着脱自在に取付けられてこのスイッチ本体を押圧操作する請求項１記載の操作体と；を具備する。
【００２２】
したがって、本発明の配線器具は、請求項１記載の操作体を具備するので、請求項１において説明した作用効果を奏する。
【００２３】
【発明の実施の形態】
本発明の第１の実施の形態を図１ないし図５に基づいて説明する。図１は配線器具を示す斜視図、図２はその縦断正面図、図３は操作体の分解斜視図、図４は表示体押えカバーを示す縦断正面図、図５は表示体押えカバーを示す底面図である。
【００２４】
配線器具は、押圧操作に伴い配線回路をオン・オフするスイッチ本体１と、このスイッチ本体１が取付けられた取付ユニット２と、取付ユニット２の周囲を囲むように取付ユニット２に取付けられた化粧プレート３と、化粧プレート３の開口部４内に配置されるとともにスイッチ本体１に着脱自在に取付けられてこのスイッチ本体１を押圧操作する操作体５とを備えている。
【００２５】
取付ユニット２は、スイッチ本体１が直接取付けられるサポート２ａと、このサポート２ａに取付けられたアダプタ２ｂとから構成されている。なお、サポート２ａとアダプタ２ｂとを一体に形成した構成としてもよい。
【００２６】
前記操作体５は、操作体本体６、表示体押えカバー７、表示体８を保持する表示体保持部等により構成されている。
【００２７】
表示体８は、所定規格の寸法に形成された薄板部材であり、操作体５の操作によりオン・オフされる照明の箇所を知らしめるための表示、例えば、「居間」「廊下」「ＴＯＩＬＥＴ」「洗面所」などの文字が表示されている。
【００２８】
操作体本体６は、板状の部材であり、その裏面側には１対の係合凸部９が形成され、この係合凸部９がスイッチ本体１に形成された１対の係合凹部１０に係合され、これらの係合凸部９と係合凹部１０との係合により操作体５のスイッチ本体１への取付けが行われている。また、操作体本体６の表面側には、断面形状略コの字型に凹んだカバー取付部１１が形成され、このカバー取付部１１には第２の表示体保持部としての位置決め溝１２とスリット１３とが形成されている。この位置決め溝１２は、後述するように、主として裏面が粘着面となっている粘着テープ式の表示体等を使用する場合にその表示体が貼り付けられる。また、スリット１３からは、スイッチ本体１内に配置された小型ランプ（図示せず）の光が透過され、夜間時において操作体５の位置を知らしめている。
【００２９】
表示体押えカバー７は透明な樹脂を材料として形成されたもので、１対の対向部１４、１５と、これらの対向部１４、１５を繋ぐ繋ぎ部１６とを有する断面形状略コの字型に形成され、対向部１４、１５同士が接離する方向に撓む可撓性を有している。さらに、この表示体押えカバー７は、カバー取付部１１に嵌合可能な形状に形成されており、表示体押えカバー７をカバー取付部１１に嵌合させて取付けたとき、対向部１４、１５同士が離反する方向に撓み、元に戻る方向に付勢された対向部１４、１５はカバー取付部１１の側面部を弾性的に挟み付け、表示体押えカバー７がカバー取付部１１に弾性的に取付けられている。
【００３０】
表示体押えカバー７の繋ぎ部１６における一部であって、表示体押えカバー７をカバー取付部１１に取付けたときにこのカバー取付部１１に対向する側の面には、表示体８を嵌め込み可能な嵌め込み凹部１７が第１の表示体保持部として形成されている。この嵌め込み凹部１７は、所定規格の寸法に形成された表示体８がぴったりと嵌め込まれる寸法に形成されている。
【００３１】
また、この嵌め込み凹部１７の周囲には所定の高さ寸法を有する枠状突起１８が形成されている。この枠状突起１８の外形寸法は、カバー取付部１１に形成されている位置決め溝１２より僅かに小さく形成され、かつ、表示体押えカバー７をカバー取付部１１に取付けたときに枠状突起１８が位置決め溝１２に入り込む位置に形成されている。さらに、枠状突起１８の高さ寸法は、その先端面部が位置決め溝１２の底面に略当接する寸法に形成されている。そして、これらの枠状突起１８と位置決め溝１２とにより、第３の表示体保持部１９が形成されている。
【００３２】
このような構成において、まず、操作体５への表示体８の取付けを第１の表示体保持部である嵌め込み凹部１７を利用して行う場合について説明する。この場合の操作体５への表示体８の取付けは、カバー取付部１１から取外してある表示体押えカバー７の嵌め込み凹部１７内に表示体８を嵌め込み、その表示体押えカバー７をカバー取付部１１に嵌合させることにより行う。
【００３３】
ここで、カバー取付部１１に取付けられた表示体押えカバー７は、対向部１４、１５同士が離反する方向へ撓んでおり、元に戻る方向に付勢された対向部１４、１５がカバー取付部１１の側面部を弾性的に挟み付けている。このため、カバー取付部１１への表示体押えカバー７の取付状態が安定して維持される。
【００３４】
また、表示体８は嵌め込み凹部１７に嵌め込まれており、表示体押えカバー７をカバー取付部１１に取付けるときに表示体押えカバー７をどのような向きに傾けた場合でも表示体８は位置ずれしない。このため、操作体本体６が壁面などに垂直状態に取付けられている場合であっても、その操作体本体６のカバー取付部１１への表示体押えカバー７の取付けを、表示体８を位置ずれさせることなく簡単に行える。
【００３５】
表示体８を交換する場合には、表示体押えカバー７に対して対向部１４、１５同士が離反する向きに力を加えることにより表示体押えカバー７を対向部１４、１５同士が離反する向きに撓ませ、対向部１４、１５によるカバー取付部１１の挟み付け状態を解除して表示体押えカバー７をカバー取付部１１から取外す。そして、カバー取付部１１から表示体押えカバー７を取外した後、嵌め込み凹部１７から表示体８を取出し、交換する他の表示体８を嵌め込み凹部１７に嵌め込んだ後、表示体押えカバー７を再びカバー取付部１１に取付ける。
【００３６】
ここで、カバー取付部１１からの表示体押えカバー７の取外しを、対向部１４、１５同士が離反する向きに表示体押えカバー７を撓ませることにより行えるので、その取外しをドライバー等の工具を使用せずに簡単に行うことができ、表示体押えカバー７をカバー取付部１１から取外すときに表示体押えカバー７を工具で傷付けるということが発生しない。また、カバー取付部１１から表示体押えカバー７を取外すときには表示体押えカバー７を弾性変形する範囲内で撓ませるだけであり、取外しの際に表示体押えカバー７に過大な力を作用させて表示体押えカバー７を破損するということを防止できる。このため、表示体８の交換等のためにカバー取付部１１に対する表示体押えカバー７の着脱を繰り返し行った後であっても、引き続きその表示体押えカバー７を初期状態と同じ状態のままで使用することができ、表示体押えカバー７の耐久性を向上させることができる。
【００３７】
表示体８としては、上述したように、所定規格の寸法に形成された薄板部材のものであって嵌め込み凹部１７に嵌め込んで使用するものを例に挙げて説明したが、他のタイプの表示体、例えば、裏面が粘着面となっている粘着テープ式の表示体、又は、裏面が粘着面となっておらずサイズが嵌め込み凹部１７の寸法より大きな表示体を使用する場合がある。
【００３８】
このような表示体を操作体５に取付ける場合には、第３の操作体保持部１９を利用して行う。この場合の操作体５への表示体の取付けは、表示体押えカバー７をカバー取付部１１から取外し、露出状態となった位置決め溝１２に表示体を貼り付け又は表示体を配置し、表示体の取付位置の位置決めを行う。その後、カバー取付部１１に表示体押えカバー７を取付ける。
【００３９】
カバー取付部１１に表示体押えカバー７を取付けると、表示体押えカバー７に形成されている枠状突起１８が位置決め溝１２に入り込み、位置決め溝１２内に貼り付けられ又は配置されている表示体の周縁部が枠状突起１８により押圧される。これにより、位置決め溝１２内に貼り付けられ又は配置された表示体の縁部がめくれ上がったり撓んだりすることなく、安定した取付状態を確保することができる。
【００４０】
なお、枠状突起１８を有しない場合でも、第２の表示体保持部である位置決め溝１２のみを利用して表示体の取付けを行うことができ、特に、粘着テープ式の表示体を使用する場合にその表示体の位置決めを精度良く行える。
【００４１】
つぎに、本発明の第２の実施の形態を図６に基づいて説明する。なお、図１ないし図５において説明した部分と同じ部分は同じ符号で示し、説明も省略する。
【００４２】
本実施の形態の表示体押えカバー７ａは、透明な樹脂を材料として形成され、１対の対向部１４、１５と、これらの対向部１４、１５を繋ぐ繋ぎ部１６とを有する断面形状略コの字型に形成され、さらに、対向部１４、１５の内側面部分に凸部１４ａ、１５ａが形成されている。
【００４３】
また、この表示体押えカバー７ａをカバー取付部１１に弾性的に取付けたときに、カバー取付部１１における対向部１４、１５が押圧される部分には、凸部１４ａ、１５ａが係合する凹部１１ａが形成されている。
【００４４】
このような構成において、表示体押えカバー７ａをカバー取付部１１に取付けたとき、対向部１４、１５がカバー取付部１１の側面部を弾性的に挟み付けるとともにこれらの対向部１４、１５に形成された凸部１４ａ、１５ａがカバー取付部１１に形成された凹部１１ａに係合されるため、カバー取付部１１への表示体押えカバー７ａの取付状態がさらに安定する。
【００４５】
【発明の効果】
請求項１記載の発明の操作体によれば、表示体押えカバーは１対の対向部でカバー取付部を挟み付けることによりカバー取付部に弾性的に取付けられているため、安定した取付状態を維持することができ、しかも、カバー取付部からの表示体押えカバーの取外しを、表示体押えカバーをカバー取付部から取外す向きに撓ませることにより工具を用いることなく行えるので、表示体押えカバーをカバー取付部から取外して行う表示体保持部（第１の表示体保持部又は第２の表示体保持部）に保持されている表示体の交換作業を簡単に行え、その交換作業に伴う表示体押えカバーの傷付きや破損を防止することができる。
【００４６】
請求項１記載の発明によれば、前記表示体保持部は、前記表示体押えカバーの前記繋ぎ部における前記カバー取付部に対向する側の面に形成されて前記表示体を嵌め込み可能な嵌め込み凹部であるので、表示体を表示体押えカバーの嵌め込み凹部に嵌め込み、その表示体押えカバーをカバー取付部に取付けることにより、表示体を位置ずれさせることなく確実に保持することができ、操作体本体が壁面などに垂直に取付けられた状態であっても、その操作体本体への表示体押えカバーの取付けを表示体を位置ずれさせることなく行える。
【００４７】
請求項１記載の発明によれば、前記表示体保持部は、前記操作体本体の前記カバー取付部に形成されて前記表示体を位置決めする位置決め溝であるので、表示体として、裏面が粘着面となっている粘着テープ式の表示体やその他の表示体を使用する場合において、それらの表示体を位置決め溝に貼り付け又は配置することにより、操作体に取付けられる表示体の位置決めを精度よく行える。
【００４８】
請求項１記載の発明によれば、前記枠状突起と前記位置決め溝とは、前記表示体押えカバーを前記カバー取付部に取付けたときに前記枠状突起が前記位置決め溝に入り込むサイズ及び位置に形成され、かつ、前記枠状突起の先端面部が前記位置決め溝の底面に略当接する寸法に形成されているので、裏面が粘着面となっている粘着テープ式の表示体、又は、他の表示体を位置決め溝内に貼り付け又は配置した場合において、操作体本体のカバー取付部に表示体押えカバーを取付けると、枠状突起が位置決め溝内に貼り付けられ又は配置されている表示体の周縁部を押圧することになり、表示体の縁部がめくれ上がったり撓んだりすることなく安定した取付状態を確保することができる。
【００４９】
請求項２記載の発明の配線器具によれば、請求項１記載の操作体を具備するので、請求項１において説明した作用効果を奏する。
【図面の簡単な説明】
【図１】本発明の第１の実施の形態の配線器具を示す斜視図である。
【図２】その縦断正面図である。
【図３】操作体を示す分解斜視図である。
【図４】表示体押えカバーを示す縦断正面図である。
【図５】表示体押えカバーを示す底面図である。
【図６】本発明の第２の実施の形態の操作体本体と表示体押えカバーとを示す縦断正面図である。
【図７】従来例の操作体を示す分解斜視図である。
【符号の説明】
１：スイッチ本体
２：取付ユニット
５：操作体
６：操作体本体
７、７ａ：表示体押えカバー
８：表示体
１１：カバー取付部
１２：表示体保持部、位置決め溝
１４、１５：対向部
１６：繋ぎ部
１７：表示体保持部、嵌め込み凹部
１８：枠状突起
１９：表示体保持部
【図１】
0004051599.tif 000002
【図２】
0004051599.tif 000003
【図３】
0004051599.tif 000004
【図４】
0004051599.tif 000005
【図５】
0004051599.tif 000006
【図６】
0004051599.tif 000007
【図７】
0004051599.tif 000008